(57)【要約】【課題】  鳥類の飛来の防止を確実に実現する方法について提案する。【解決手段】  鳥類の飛来場所に至る飛行経路を横切る向きに、ワイヤーを並列に張り渡して鳥類の飛来を阻止するに当たり、該飛来場所の足掛かり部に対して、ワイヤーを２５〜７５°傾斜させて配列する。【選択図】図５
2006014678.tif 000002
【特許請求の範囲】
【請求項１】
鳥類の飛来場所に至る飛行経路を横切る向きに、ワイヤーを並列に張り渡して鳥類の飛来を阻止するに当たり、該飛来場所の足掛かり部に対して、ワイヤーを２５〜７５°傾斜させて配列することを特徴とする鳥類の飛来防止方法。
【請求項２】
ワイヤーの足掛かり部に対する傾斜角度が３５〜６５°であることを特徴とする請求項１に記載の鳥類の飛来防止方法。
【請求項３】
ワイヤーは、複数のローラーを介して張り渡すことを特徴とする請求項１または２に記載の鳥類の飛来防止方法。
【請求項４】
複数のローラーが一列以上に並ぶローラー群を、飛行経路を挟んで対向する位置に少なくとも１対配置し、これらローラー群の一方から他方のローラー間にワイヤーを張り渡すことを特徴とする請求項３に記載の鳥類の飛来防止方法。
【請求項５】
１本のワイヤーを複数のローラー間に張り渡すことを特徴とする請求項３または４に記載の鳥類の飛来防止方法。
【発明の詳細な説明】
【技術分野】
【０００１】
本発明は、各種建造物に対する鳥類の飛来を未然に回避する鳥類の飛来防止方法に関するものである。
【背景技術】
【０００２】
工場、倉庫、駅舎および橋などの比較的に大きな建造物では、構造材としてＨ型鋼などの型鋼を露出させたまま使用することが多い。特に、工場、倉庫および駅舎の梁や、橋の桁として、水平方向に張り渡したＨ型鋼には、図１に示すように、Ｈ型鋼１の上下のフランジ２ａおよび２ｂ間に凹所３が区画され、この凹所３に例えば鳩４が飛来し、そこに留まることが多い。これは、建造物の構外に限らず、工場、倉庫および駅舎の構内にまで鳩が入り込み、上記凹所３に留まる結果、Ｈ型鋼１のフランジ部分は勿論、型鋼の下方において主に糞による害（以下、鳥害と示す）が発生することは不可避である。
一方、中層ビルの屋上、マンションのベランダおよび住宅の屋根などには、鳩のほか烏が飛来することもあり、そこでも同様に鳥害が発生している。
【０００３】
鳩や烏を対象とした鳥害対策としては、その鳥害が発生している場所に、鳥類が飛来するのを防止することが有効であり、かような飛来防止を所期した方策には、いわゆる防鳥ワイヤーおよび防鳥ネットによる忌避装置が共によく知られている。
【０００４】
後者の手法は、鳥害が発生している場所全体、例えばＨ型鋼全体または、屋上やベランダの周囲を合成樹脂製のネットで覆って、鳥の侵入を回避するものであるが、美観を損ねること、また大面積の施工が必須であって費用が嵩むことが問題であった。
この点、前者のワイヤーによる手法は、景観に与える影響は比較的に少なく、また容易に施工でき費用も比較的に安価である利点がある。
【０００５】
例えば、特許文献１には、支持棒と支持棒との間において、各支持棒に間隔を置いて取り付けた複数のヒートンにワイヤーを順次掛け止めして、支持棒相互間にワイヤーを張り巡らせることが記載されている。具体的には、電柱、鉄塔、ベランダおよび軒先への適用が、それぞれ示されている。この方法は、支持棒相互間にワイヤーを張り渡し、平行に配列したワイヤーを面状に展開することによって、鳥の飛来経路を遮断するものである。
【特許文献１】特開平１１−１８６６６号公報
【発明の開示】
【発明が解決しようとする課題】
【０００６】
しかしながら、かようなワイヤーによる方法を、上記のＨ型鋼の凹所３に適用した場合に、鳥の飛来を十分に防止することができないところに問題を残すものであった。また、ビルの屋上やマンションのベランダにおいては、鳥が一旦ワイヤーを掴んでから周囲に着地する事態を防止することが難しかった。
【０００７】
そこで、本発明は、上述した諸問題を解消して、鳥類の飛来の防止を確実に実現する方法について提案することを目的とする。
【課題を解決するための手段】
【０００８】
さて、上記の特許文献１に代表されるワイヤーの水平張りによる手法を、図１に示したＨ型鋼の凹所３に適用する場合は、図２に示すように、型鋼のフランジ２ｂの凹所３側に支持棒５の複数本を設け、これら支持棒５間にワイヤ−６を張り渡し、凹所３に至る鳥の飛来経路を平行に配列したワイヤー６で塞ぐようにするのが一般的である。
ここで、ワイヤーの相互間隔を狭くすればするほど、鳥の侵入率が下がることは勿論であるが、外観、費用並びに施工の観点から、例えば鳩を対象とする場合は２５〜５０ｍｍ程度の間隔でワイヤーを張るのが通例であるところ、鳥の侵入を完全に回避することが難しいのが現状である。
【０００９】
発明者は、かように面状にワイヤ−６を張り渡してもなお、凹所３内に鳩が侵入する原因について究明したところ、鳩は型鋼のフランジ２ｂの側縁部２０を足掛かりとして、この側縁部２０に足を掛けた状態で頭をワイヤー相互の隙間に入れ、ワイヤーの撓みを利用して隙間を拡大し、この隙間から侵入することが新たに判明したのである。この問題は、特許文献１に記載されたワイヤーの水平張りのほか、ワイヤーを鉛直方向に張り渡す垂直張りにおいても同様に発生する。なお、ワイヤーを支持する間隔が広いほど鳩が侵入し易いのは勿論であるが、一般的に実施されている鳩が進入しないと言われる間隔においても鳩の侵入があるのが実状である。
【００１０】
そこで、ワイヤーの張設条件に関して、図３に示すような、４羽の鳩が繁殖を目的に営巣する巣箱１０において、次の実験を行った。すなわち、巣箱１０は幅８００ｍｍおよび高さ３００ｍｍの開口１１を南北方向に向いた計二箇所に有し、その内部に奥行１５００ｍｍの床面が地上から４５００ｍｍの高さにあり、実験３箇月前は、両開口部に０．８１ｍｍφのワイヤーを水平に２５ｍｍ間隔で１１列設置したが、鳩は開口中央から、ワイヤーの撓みを利用してワイヤー相互間隔を広げて、頭から身体をこじ入れて侵入する方法を学習した結果、設置したワイヤーを潜り内部に自由に出入りしていた。一方、脱出時は、内部の床面が十分な足掛かりとなるため、侵入より容易に行動していた。すなわち、飛来した鳩は、開口部１１の外縁１１ａと最下段ワイヤーとを掴んで足掛かり部として、２段および３段目のワイヤー間から侵入していた。
【００１１】
以上の環境において、実験は、南北２箇所の開口部１１の四囲に、図４に示すように、アルミ枠１２を取り付け、このアルミ枠１２内にワイヤー６を種々の傾斜角度で斜めに張り、鳩の出入りの状況を観察し、飛来侵入および歩行脱出を阻害する角度を調査した。すなわち、ワイヤーは、例えば図４（ａ）〜（ｄ）のように種々の傾斜角度に設定し、２５ｍｍの相互間隔で開口部１１を完全に覆う形で面張りし、その反転型をもう一方の開口部１１に取り付け、傾斜の向きによる効果の相違を検証した。
【００１２】
そして、飛来場所の足掛かり部、ここでは開口部１１の外縁１１ａに対するワイヤー６の傾斜角度を１５°から９０°まで５°刻みで設定して、８時および１６時の１日２回、鳩の侵入または脱出状況を、それぞれの傾斜角度において調査、記録した。その結果を表１に示す。
【００１３】
【表１】
2006014678.tif 000003
【００１４】
表１に示すように、飛来する鳩は、外縁１１ａに対する傾斜角度が２０°以下の緩い傾斜でワイヤーを張ると鳩の出入りを阻止することはできず、同２５°になると侵入はほとんど不可能になった。なお、傾斜が３０°未満ではワイヤーを掴み侵入を試みる鳩が観察されたが、３０°以上になると、ワイヤーを掴む行動は見せなくなり、外縁１１ａを足掛かりとして内部に潜り込む様に侵入を試みる程度であった。飛来する鳩が最も戸惑いを示したのは、ワイヤー傾斜角３５〜６５°の範囲であり、侵入した鳩は皆無であった。一方、ワイヤーが７０°以上に立ち上がってくると、徐々に侵入が始まり、８０°以上では侵入が認められた。
【００１５】
本発明は、上記の実験結果に基づいて成されたものであって、その要旨は次のとおりである。
（１）鳥類の飛来場所に至る飛行経路を横切る向きに、ワイヤーを並列に張り渡して鳥類の飛来を阻止するに当たり、該飛来場所の足掛かり部に対して、ワイヤーを２５〜７５°傾斜させて配列することを特徴とする鳥類の飛来防止方法。
ここで、飛来場所とは、鳥が『とまる』事を目的として飛来する場所であり、いわゆる止まり木となる条件、すなわち、安全である、無駄なエネルギーを使わずに身体を支える事が可能である、上下、左右に安定している、水平または水平に近い平面である、掴むまたは乗ることが可能な形状である、そして地上や周囲を観察できる高所である、などの条件を満足する場所である。例えば、屋上笠木、フェンスフレーム天端、梁、５０ｍｍ以上の平面を有する壁面突出部、ベランダの手摺、排水パイプの水平部、電線やワイヤー、窓枠水切りパネル等がある。さらに、この飛来場所の足掛かり部とは、鳥が一時的に足や爪を使って、身体を支えたり姿勢を変えたりする為の足場となるところを言う。例えば、Ｈ型鋼の縁は勿論、壁面に突出するボルトや金物、防虫金網のフレーム、外装タイルの目地、壁面の段差、電話線や支持金物等が、代表例である。
【００１６】
（２）ワイヤーの足掛かり部に対する傾斜角度が３５〜６５°であることを特徴とする上記（１）に記載の鳥類の飛来防止方法。
【００１７】
（３）ワイヤーは、複数のローラーを介して張り渡すことを特徴とする上記（１）または（２）に記載の鳥類の飛来防止方法。
【００１８】
（４）複数のローラーが一列以上に並ぶローラー群を、飛行経路を挟んで対向する位置に少なくとも１対配置し、これらローラー群の一方から他方のローラー間にワイヤーを張り渡すことを特徴とする上記（３）に記載の鳥類の飛来防止方法。
【００１９】
（５）１本のワイヤーを複数のローラー間に張り渡すことを特徴とする上記（３）または（４）に記載の鳥類の飛来防止方法。
【発明を実施するための最良の形態】
【００２０】
次に、ワイヤーを鳥の飛来場所の足掛かり部に対して２５〜７５°に傾斜させて配列するための手段について、図５以降を参照して具体的に説明する。
先に図１に示したＨ型鋼１の上下のフランジ２ａおよび２ｂ間にワイヤー６を張り渡して飛行経路を遮断し、凹所３への鳥の侵入を防止する場合について説明する。すなわち、上下のフランジ２ａおよび２ｂのそれぞれに、横フレーム７ａおよび７ｂを取り付けるとともに、Ｈ型鋼１の長手方向においてワイヤーを施工する範囲の始端および終端位置に、横フレーム７ａおよび７ｂ間に跨る縦フレーム８ａおよび８ｂを取り付ける。これらフレーム７ａ、７ｂ、８ａおよび８ｂには、それぞれ複数個のローラー９が等間隔に設けられ、各フレームがローラー群を形成している。
【００２１】
次に、このように四囲に並べた多数のローラー９を介してワイヤー６を張り渡す手順について述べる。ここでは、鳥が足掛かり部とするフランジ２ｂの側縁部２０に対してワイヤー６を２５〜７５°傾斜させて配列する際に、１本のワイヤーで長い距離を一度に施工する場合を示す。
先ず、始点となるローラー９−１に、ワイヤー６の先端を固定する。
例えば、図６に示すように、ローラー９−１に巻き回したワイヤー６の先端をワイヤー６の中間部にスリーブ６０をかしめて留めて、ワイヤー６をローラー９−１に引掛けて固定する。
【００２２】
または、図７に示すように、ローラー９−１の替わりにフレーム８ａに固定したボルト６１に、スプリング６２を介してワイヤー６の先端を取り付け、ワイヤー６に張力を付加した状態で固定することも可能である。このように、スプリングを介してワイヤーを取り付けることにより、施工後にワイヤーの一部または全部の取り外し、そして復元を簡単に行う事が可能である。
【００２３】
ワイヤー６の先端を固定したならば、フレーム７ａのローラー９とフレーム８ａのローラー９との間に順次ワイヤー６を斜め方向に通していき、引き続きフレーム７ａのローラー９とフレーム７ｂのローラー９との間を斜めに通し、さらにフレーム８ｂのローラー９とフレーム７ｂのローラー９との間を斜めに通し、最後にフレーム８ｂのローラー９−２にワイヤー６の終端を固定する。ここでのワイヤー６の固定は、上述したワイヤー先端と同様に行うことができる。
【００２４】
かくして、上下のフランジ２ａおよび２ｂ間の開口を、一筆書きの要領でワイヤー６を傾斜張りすることができる。その際、ワイヤーの転回は回転するローラー９を介して行われるため、屈折部でワイヤーを痛めることがなく、充分な張力を加えた施工が可能となる。従って、ワイヤーが撓んで配列ワイヤー相互間に隙間が開くことを未然に回避できる。
勿論、任意のローラーにワイヤーをスリーブ留めし、そこから新たにワイヤーを継ぎ足して複数本のワイヤーによる張り渡しを行ってもよいが、施工上および効果の面からは１本張りが推奨される。
また、施工場所の近くに別の飛来場所が存在する場合には、ワイヤーの傾斜角度を飛来場所毎に変えて設置し、場所毎に変化を持たせることが好ましい。
【００２５】
なお、ワイヤーの相互間隔や傾斜角度は、ローラーの配置間隔および位置を調節することにより任意の設定が可能である。その際、0.5〜１mm径のワイヤーを20〜50mmの間隔で配置することが好ましい。
すなわち、径が0.5〜１mmのワイヤーを用いるのは、まず強度および耐久性の観点から0.5mm以上の径が必要であり、また設置場所によっては、安全上人が視認し易い事が必要であるためである。一方、径が１mmを超えると、鳩が掴みやすくなりワイヤーに止まる可能性があるため、ワイヤー径は１mm以下とすることが好ましい。
ちなみに、ワイヤーは屋外で使用する場合には、ステンレス鋼製のもの、とりわけステンレス鋼線の複数本を撚り合わせたものが適合するが、紫外線の影響の無い屋内では、極めて伸びの少ないポリエチレン製の釣り糸も有効である。
【００２６】
一方、ワイヤーの相互間隔は、対象となる鳥の大きさ、設置場所、地上高などの条件により異なる。たとえば、飛行中の鳩に対しては、80〜100mm間隔で充分な効果が得られるが、ワイヤーを視認出来なかった鳩が、衝突、飛び込む様に進入することを考慮すると、飛行を妨害する目的で設置する場合でも、50mm以下が望ましい。フレーム間のワイヤーの長さが２ｍを超える場合には、ワイヤーの撓みが大きくなる為、間隔を小さく取る必要がある。Ｈ型鋼のように足掛かりが存在する場合には、20〜25mmが最適であり、この範囲で確実に効果があるから、20mm未満にする必要はない。ワイヤーには、主にステンレス鋼線を撚り合わせたものが有利に適合する。なぜなら、単線ではキンクなどの問題があるからである。
【００２７】
また、Ｈ型鋼１の上下のフランジ２ａおよび２ｂにフレーム７ａおよび７ｂを取り付けるには、図８および９に示すように、フランジ２ａおよび２ｂにブラケット７０をクランプの要領でボルト７１にて押さえ留めし、このブラケット７０にフレーム７ａまたは７ｂをボルト７２で締結すればよい。さらに、縦のフレーム８ａおよび８ｂは、フレーム７ａおよび７ｂ間にたとえばボルト締めで固定すればよい。
【００２８】
ここで、ローラー９の構造は、例えば図８や９に示したように、スプール９０の外側にワイヤーの脱落防止の縁９１が付いたステンレス鋼製のものが適合する。上記したワイヤーに対しては、幅：５〜１０mmおよび直径：１５〜２５mmのスプール９０に直径：２０〜３０mmの縁９１を有するものが好適である。
【００２９】
ちなみに、上記の構造のローラーは比較的に高コストを要するため、図１０に示す安価な構造のローラーを用いてもよい。このローラーは市販のボルト９２、ワッシャー９３、ナット９４およびパイプ９５を組み合わせたものであり、フレーム７ａに、図示の順序でボルト９２、ワッシャー９３、ナット９４およびパイプ９５を取り付けることによって、ボルト９２とナット９４との間に配置したパイプ９５をスリーブとし、ワッシャー９３を縁とし、ワッシャー９３間でワイヤー６を案内するものである。
【００３０】
図５に示したワイヤー６の配列は、ワイヤー相互を始端から終端までの全域にわたって平行にしたものであるが、この配列に限定されることはなく、例えば図１１に示すワイヤー配列としてもよい。この例では、ワイヤーの張り渡しの初期および後期の段階に、平行配列でなく放射状にワイヤーを配列した。すなわち、ワイヤー６の始端をローラー９−１に固定し、このローラー９−１を起点として縦列に並ぶ複数のローラー９のそれぞれとの間でワイヤー６を張り渡して放射状に配置し、その後は図５にしめしたところと同様の平行配列を行う。次いで、ローラー９−２以降は、このローラー９−２を起点として縦列に並ぶ複数のローラー９のそれぞれとの間でワイヤー６を張り渡して放射状に配置し、ローラー９−２でワイヤー６の終端を固定する。このワイヤーの張設では、放射状配置の起点となるローラー９−１および９−２は、そのスプール部分の厚みを増加し、ワイヤーの巻きつけ回数に応じたスプール厚みを確保する必要がある。
【００３１】
以上のワイヤー施工は、Ｈ型鋼のほかにも、例えば鉄道や道路の橋梁、橋脚の点検口に適している。すなわち、かような点検口から鳥が内部に入り営巣することが多々あり、点検口からの鳥の侵入を阻止することは有意義である。点検口では、点検の際に外部からよく見えること、ワイヤーを取り外し可能であることが肝要である。その点、ワイヤーでは、内部の状況が確認でき、ワイヤーの端部にスプリングを取り付けて固定する場合（図７参照）、ワイヤーにはローラーの働きにより引っ張り力が伝達されるから、誰にでも簡単に取り外し復元できる利点がある。当然、傾斜を付けたワイヤーによる、水平張りには無い高い鳥の忌避効果が得られる。また、点検口は、サイズおよび形状が決まっている為、事前にフレームを量産し、設置作業の効率をあげることが出来る。他にも、渡り廊下の開口部や、建物の外壁に存任する開口部においても、同様に有効である。
【００３２】
また、工場や倉庫の天井部では、複雑に組まれた鋼材の全てが、止まり木となる条件を持つ為、対策箇所が非常に多くなる事が特徴である。防鳥ネットによる対策が適するが、上述の通り問題も多いため、本発明の適用が有意義である。
特に、鋼材間の一定の空間を面として捉え、そこに本発明のワイヤーの傾斜張りを適用すれば、ネットの利点を生かしつつ欠点を補うものとなる。すなわち、複数の止まり木となる鋼材を、一面で対策する事ができ、施工費を抑えられる。さらに、一部分の取り外しが可能であり、見栄えも良い。同様の条件を持つ設置場所として、駅舎構内天井部、建物の大庇軒下がある。
【００３３】
さらに、吹き抜けの梁と開口部では、上下の梁を利用し、壁面に沿って面張りする。ネットに比べ見栄えが良く、施工が簡単である。同様の場所として、駐車場ビルの開口部がある。
【００３４】
一方、屋上周囲の笠木やマンションのベランダなど、上方が開放された飛来場所においても、本発明は有効である。例えば、図１２に示すように、屋上周囲の笠木３０に間隔を置いて取り付けた支柱３１に、複数のローラー９を設置し、これらローラー９相互間にワイヤー６を笠木３１に対して傾斜させて張り渡すことによって、鳥の飛来を回避できる。すなわち、ワイヤーに角度を付けて設置すると、鳥が掴んで止まる事が非常に少なくなるため、従来の水平張りのように鳥が一旦ワイヤーを掴んでから笠木３０上に着地する事態を回避できるのである。
【００３５】
また、上記の支柱３１に、図１３に示すように水平の足を設け、ここにもローラー９を設置するとともに、ローラー９の縦列配置を２列にすることによって、ワイヤーの傾斜配列に、交差張りなどの更なるバリエーションを付加することができる。
【実施例１】
【００３６】
図１４に示す、大屋根３２の下に２本のＨ型鋼１を離間して水平に設置した倉庫内において、２本のＨ型鋼１を跨ぐ大空間を、ワイヤー張りにて塞ぐ施工を行った。すなわち、図５に示した並列ローラー群間を一筆書きの要領で張り渡す施工に従って、ステンレス鋼線の７本撚りワイヤー（０．８１ｍｍφ）を、傾斜角６０°および相互間隔２０ｍｍで取り付けた。
【００３７】
次いで、ワイヤーの設置後の７日間、毎夕１７時から１８時に点検し、鳩の侵入の有無を確認した。なお、ワイヤーの設置前にＨ型鋼１の凹所およびフランジ上面を清掃後に、白い紙を敷いて糞や足跡から侵入を確認できる様にした。
【００３８】
ワイヤーの設置から５日間は、６羽から９羽の鳩が侵入を試みる状況が見られたが、６日目には、鳩の飛来数は４羽に減少し、設置したワイヤーに接近する事も無くなった。さらに、設置から７日間、鳩の侵入は確認されず、内部に敷いた白紙にも侵入の形跡は見られなかった。
以上の結果から、６０°の傾斜角度で面張りしたワイヤーによって、鳩の侵入を完全に防止できたことがわかる。
【実施例２】
【００３９】
次に、図１５（ａ）に示す建物の垂直面に存在する段差に、本発明を適用した。すなわち、段差の天端は垂直壁面の地上高１２ｍみに位置し、奥行きが１００ｍｍで３０００ｍｍの長さで延びる水平面である。この段差に対して、図１５（ｂ）に示すように、支柱３１に配置した並列ローラー群間を一筆書きの要領で張り渡す施工に従って、ステンレス鋼線の７本撚りワイヤー（０．８１ｍｍφ）を、傾斜角３０°および相互間隔５０ｍｍで取り付けた。
【００４０】
次いで、ワイヤーの設置後に１箇月および３箇月を経た時点で、鳩の侵入の痕跡を確認したところ、いずれの場合も侵入の痕跡は認められなかった。なお、ワイヤーの設置前に段差部分を清掃して侵入を確認できる様にした。
【産業上の利用可能性】
【００４１】
以上では、主に鳩および烏を対象に説明したが、本発明の方法は、これらの鳥以外にも、
鳩と同等以上の大きさの鳥類に対して適用可能である。
【図面の簡単な説明】
【００４２】
【図１】Ｈ型鋼の凹所内に飛来する鳩の様子を示す図である。
【図２】Ｈ型鋼の凹所に従来のワイヤー張りの手法を適用した例を示す図である。
【図３】ワイヤー傾斜張りに関する実験を行った場所を示す図である。
【図４】ワイヤーの傾斜張りの複数態様を示す図である。
【図５】本発明のワイヤー傾斜張りを示す図である。
【図６】ワイヤーの端部処理を示す図である。
【図７】ワイヤーの端部処理を示す図である。
【図８】Ｈ型鋼に対するローラーフレームの取付構造を示す図である。
【図９】Ｈ型鋼に対するローラーフレームの取付構造を示す図である。
【図１０】ローラーの他の形態を示す図である。
【図１１】ワイヤー傾斜張りの別の形態を示す図である。
【図１２】ワイヤー傾斜張りの別の形態を示す図である。
【図１３】ワイヤー傾斜張りの別の形態を示す図である。
【図１４】ワイヤー傾斜張りの実施形態を示す図である。
【図１５】ワイヤー傾斜張りの実施形態を示す図である。
【符号の説明】
【００４３】
１  Ｈ型鋼
２ａ，２ｂ  フランジ
３  凹所
４  鳩
５  支持棒
６  ワイヤー
７ａ，７ｂ，８ａ，８ｂ  フレーム
９  ローラー
【図１】
2006014678.tif 000004
【図２】
2006014678.tif 000005
【図３】
2006014678.tif 000006
【図４】
2006014678.tif 000007
【図５】
2006014678.tif 000008
【図６】
2006014678.tif 000009
【図７】
2006014678.tif 000010
【図８】
2006014678.tif 000011
【図９】
2006014678.tif 000012
【図１０】
2006014678.tif 000013
【図１１】
2006014678.tif 000014
【図１２】
2006014678.tif 000015
【図１３】
2006014678.tif 000016
【図１４】
2006014678.tif 000017
【図１５】
2006014678.tif 000018